(57)【要約】      （修正有）【課題】平板状の板材からカッティングした大型抜き取り部とその内側にあって所望有形模様が描かれた小型抜き取り部と座板抜き取り部（スタンド）とから形成され、例えば流通段階では一体化した状態を保持しつつ使用段階では抜き取り部を抜き取り、立体造形物を形成することを特徴とするカッティング板材を提供する。【解決手段】平板状の板材１から少なくとも１か所の繋ぎ部を残した大型抜き取り部３と、大型抜き取り部の内側にあって所望の有形模様を少なくとも１か所の繋ぎ部を残した小型抜き取り部と、大型抜き取り部から離間した位置に少なくとも１か所の繋ぎ部を残してカッティングした座板抜き取り部（スタンド）５からなり、それぞれの繋ぎ部を切り離して任意に接着し立体造形物を作ることができる。【選択図】図１
0003191154.tif 000002
【実用新案登録請求の範囲】
【請求項１】
平板状の板材により構成し、前記板材の板面には、広範囲にわたり少なくとも１か所の繋ぎ部を残してカッティングした大型抜き取り部と、該大型抜き取り部の内側にあって所望の図形、文字、イラストなどの有形文様を少なくとも１か所の繋ぎ部を残してカッティングした小型抜き取り部と、前記大型抜き取り部と離間した位置にあって少なくとも１か所の繋ぎ部を残してカッティングした座板抜き取り部を形成し、前記大型抜き取り部と小型抜き取り部と座板抜き取り部のそれぞれを繋ぎ部により切り離し任意に接着し立体造形物を形成したことを特徴とするカッティング板材。
【請求項２】
前記板材から抜き取った大型抜き取り部、小型抜き取り部、座板抜き取り部および座板抜き取り部のうちの一つあるいは複数にそれぞれの抜き取り部に必要に応じて抜き取り不可能で前記有形文様と調和させる所望の図形、文字、イラストなどの有形文様を刻印した線状文様を形成したことを特徴とする請求項１に記載のカッティング板材。
【請求項３】
前記座板抜き取り部は、切り離し後に前記大型抜き取り部の下部に固定し支持スタンドとしたことを特徴とする請求項１に記載のカッティング板材。
【請求項４】
前記座板抜き取り部は、抜き取り後に小型抜き取り部から抜き取った有形文様の固定することを特徴とする請求項１に記載のカッティング板材。
【請求項５】
前記板材には所定間隙を設けて木製の背板材を固定し、前記大型抜き取り部の抜き取り後の開口部に写真、絵画等の飾りシートを収設としたことを特徴とする請求項１に記載のカッティング板材。
【考案の詳細な説明】
【技術分野】
【０００１】    本考案は、平板状の板材から、少なくとも１カ所の繋ぎ部を残してカッティングした抜き取り部を組合せ、立体構造物を作るためのカッティング板材に関する。
【背景技術】
【０００２】    発想を豊かにし、自然環境を守る心を育み、情緒豊かな児童を育てることが求められている。その為には児童が身の回りの品物を観察し或いはおもちゃ等を児童自身が製作することを通じ育成される用具が必須である。この観点から既存の物品を概観すると満足のゆくものは少ない。【０００３】    従来、例えば射出成形によって作成されるプラスチックモデルキットにおいて所定の部品を切り離し、立体模型を組み立てる物品はよく知られている。（実用新案文献１）【０００４】  また、平板状の板材をレーザーカットし模様を打ち抜き、紋様板の部品として公知である。（特許文献２）【０００５】    しかし、射出成形法によるプラスチックモデルキットにおいては、製造上の技術的制限から平板状の板面に多数の抜き取り部を隙間なく配列すること、或いは抜き取り部の中に更に抜き取り部を設けることは困難であるという課題があった。また、ランナー部分の切り取り残部で児童がけがをするという課題があった。【０００６】    一方、平板状の板材からレーザーカットし紋様板の部品を取り出す場合は、従来、単一の部品を得ることのみを考慮している場合が多い。板面から隙間なく抜き取り部を設け、抜き取り部の中にさらに抜き取り部を設けるなど一枚の平板状板材から多数の抜き取り部品を得て、流通段階では互いに抜き取り部が保持され、あたかも一枚板のごとく構成されたもので且つ消費者がそれらの抜き取り部から立体物を構成できる、というものが望まれている。
【先行技術文献】
【特許文献】
【０００７】
【特許文献２】  特開２００９−２０７６３７号公報
【実用新案文献１】
実開平５−４９３２６号公報
【考案の概要】
【考案が解決しようとする課題】
【０００８】    平板状の板材から例えばレーザー光でカットし、板面から余すことなく抜き取り部材を切り抜き、それぞれの部材を使用して立体構造物を製作することは所謂「もったいない精神」を醸成する。例えば間伐材等を利用した板材を余すところなく使った場合には「自然物の有効利用精神」を育てるのにも有効である。また、抜き取り部材を児童が安全に自由な発想で組み立てられるプロセスは創造力を育むことに有効であることが知られている。しかしながら、このようなことが分かっていても、抜き取り部材を流通段階で崩れることなく一体保持し、消費段階で簡単に取り外すことができる形状を得ることが課題であった。本考案では、このような課題を解消するためのカッティング材を提供することにある。
【課題を解決するための手段】
【０００９】    本考案は、平板状の板材により構成し、前記板材の板面には、広範囲にわたり少なくとも１か所の繋ぎ部を残してカッティングした大型抜き取り部と、該大型抜き取り部の内側にあって所望の図形、文字、イラストなどの有形文様を少なくとも１か所の繋ぎ部を残してカッティングした小型抜き取り部と、前記大型抜き取り部と離間した位置にあって少なくとも１か所の繋ぎ部を残してカッティングした座板抜き取り部を形成し、前記大型抜き取り部と小型抜き取り部と座板抜き取り部のそれぞれを繋ぎ部により切り離し任意に接着し立体造形物を形成したことを特徴とするカッティング板材を提供するものである。【００１０】    また、前記板材から抜き取った大型抜き取り部、小型抜き取り部、座板抜き取り部および座板抜き取り部のうちの一つあるいは複数にそれぞれの抜き取り部に必要に応じて抜き取り不可能で前記有形文様と調和させる所望の図形、文字、イラストなどの有形文様を刻印した線状文様を形成したことを特徴とする請求項１に記載のカッティング板材を提供する。【００１１】    更に、前記座板抜き取り部は、切り離し後に前記大型抜き取り部の下部に固定し支持スタンドとしたことを特徴とする請求項１に記載のカッティング板材を提供する。【００１２】    前記座板抜き取り部は、抜き取り後に小型抜き取り部から抜き取った有形文様の固定することを特徴とする請求項１に記載のカッティング板材とし、前記板材には所定間隙を設けて木製の背板材を固定し、前記大型抜き取り部の抜き取り後の開口部に写真、絵画等の飾りシートを収設としたことを特徴とする請求項１に記載のカッティング板材を提供する。
【考案の効果】
【００１３】    本考案は、平板状の板材の板面に大型抜き取り部の部品と別部品の座板抜き取り部を設け、もとの板面とは少なくとも１か所の繋ぎ部を残し、大型抜き取り部の内部には別部品の小型抜き取り部を設け、大型抜き取り部とは少なくとも１か所の繋ぎ部を残している。これにより平板状の板材板面から余すことなく立体造形物を構成する部品を得ることができ、且つ各部品は繋ぎ部を介して一体的に保持することができることに特徴がある。また、各抜き取り部品に図形、文字、イラストを造形することにより、立体造形物を形成した際の総体から得られる立体造形物に、より物語性を構築することができることに特徴がある。【００１４】    繋ぎ部６、６ａ、６ｂは抜き取り部品の形状、大きさ、重量によっては、多数か所設けることもできる。繋ぎ部の幅を厚くし必要に応じ繋ぎ部に曲率を設け抜き取った後の繋ぎ部残部を安全な形状にして且つ抜き取りやすくすることもできる。一体的な保持或いは抜き取りのしやすさに係る要因としてカッティングの幅も大きな要素となるので、レーザー装置或いは鋸盤でのカッティングに際しては最適な幅となるように考慮する。【００１５】    各抜き取り部の造形部品と調和させる所望の図形、文字、イラストなどの文様を刻印した線状紋様を形成することにより、より立体造形物としての見栄えが向上し、場合によっては彩色をすることによって出来映えを向上させることも自由である。【００１６】    また、座板抜き取り部を立体造形物の支持スタンドとすることもできる。【００１７】    背板材を大型抜き取り部の開口部に隙間ができるように固定し、座板抜き取り部と背板材の間に写真、絵画等のための飾りシートを設けることにより、より身近な写真立て等の備品とすることも可能である。【００１８】    例えば、児童が小型抜き取り部を彩色し、自身の発想で支持スタンドに任意に配置し、固定し、出来映えを競うことも可能である。【００１９】    本考案のカッティング板材は、流通過程ではあたかも平板状の取り扱いやすい一体品として扱え、立体構造物として構築した後は身の回りの調度品としても飾ることができ、従来の物品にはない特徴がある。
【図面の簡単な説明】
【００２０】
【図１】  本考案の実施例である山と放牧場をデザイン化したカッティング板材の正面図
【図２】  切り離した各抜き取り部をそれぞれの抜き取り部分単位で模式的に表した斜視図
【図３】  切り離した抜き取り部を組み立て完成した立体造形物の斜視図
【図４】  大型抜き取り部から小型抜き取り部を切り抜いた後の大型抜き取り部斜視図
【図５】  大型抜き取り部と背板材をクッション材で接着する際を描いた斜視図
【図６】  繋ぎ部に曲率を持たせた場合の正面方向から見た繋ぎ部断面の図
【考案を実施するための形態】
【００２１】    本考案の実施例を図面１から図面６に基づいて説明する。なお、本実施例の立体造形物は児童向けの比較的小型な写真立てである。
【００２２】    杉の間伐材を利用した平板状板材１の板面２には、額部４、小形抜き取り部３ａ〜３ｅを含んだ大型抜き取り部３、座板抜き取り部（スタンド）５及び背板材７から構成される。大型抜き取り部３、座板抜き取り部（スタンド）５と背板材７は、それぞれ平板板材１からレーザー加工機でカッティングされ、額部４と座板抜き取り部（スタンド）５とは２か所の対称な位置にある繋ぎ部６ａで、座板抜き取り部５と背板材７とは２か所の対称な位置にある繋ぎ部６ｂで一体化されている。
【００２３】    平板状板材１の板面２にカッティングされた大型抜き取り部３の内部には小型抜き取り部３ａ〜３ｅを配置し、それぞれ牛３ａ、牧草３ｂ、木３ｃ１、木３ｃ２、山３ｄ及び文字盤３ｅの図形をレーザー加工機でカッティングし、大型抜き取り部３とはそれぞれ１か所の繋ぎ部６（図面の矢印は代表例として記載）で一体化されている。なお、同様に額部４と大型抜き取り部とは１か所の繋ぎ部６で一体化されている。
【００２４】    小型抜き取り部３ａ、３ｄには、本実施例では線状模様８を描き、乳牛の絵模様、山肌の質感を出すようにしている。必要に応じて彫り込み幅を広げてより美感を得ることもできる。
【００２５】    平板状板材１の大きさは、幅１５０ｍｍ、長さ２５０ｍｍ、厚み６ｍｍであり、カッティングの幅は０．５ｍで繋ぎ部の幅は０．５ｍが好適であった。板材の材質、木目の状況、抜き取り部の形状・大きさ・重量と流通時の一体保持性或いは抜き取りやすさを考慮して設定することが望ましい。
【００２６】    また、本実施例の材質は杉材を使用したが他の木材質或いはアクリル板等の樹脂、或いは金属板等でも良い。カッティング方法は、炭酸ガスレーザー加工機を使用したが、他のレーザー加工機若しくは平板状板材と直接接触して加工する鋸盤等でも良い。しかし、非接触で加工するカッティング方法であるレーザー光によるものが本実施例の場合は好適であった。
【００２７】    図２は本実施例において、平板状板材１から各抜き取り部等を切り離した状態を斜視図で模式的に表したものである。ここでクッション材９ａ、９ｂは、額部４と背板材７を接着し且つ写真、絵画、絵はがき等（本図では描かれていない）を収設するためのスペースを確保するために準備したもので、当該平板状板材とは別個に準備しなければならないものである。また、抜き取り孔７ａ（図１に矢示する）は、以下に記す用途のために必須であり本実施例では唯一の図３に示す立体造形物を構成しない部材となる。
【００２８】      小型抜き取り部３ａ〜３ｅを取り去った後の大型抜き取り部３を図４に示す。例えば児童が用紙に牧草を描く際のテンプレートとして利用し、描かれた牧草図形を切り抜き、彩色し、３ｂに貼り付ける等の思い思いの用途に活用ができる。
【００２９】    図５は、小型抜き取り部３ａ〜３ｅを含んだ大型抜き取り部３と背板材７を両面に接着性の塗布されたクッション材９ａ、９ｂを使用し接着する方法を分かりやすく表した斜視図である。
【００３０】    例えば、流通段階で嵩張る等で取扱いに不便がある場合には小型化にする必要がある。その際は予め製作段階で接着し小型化し、流通にのせることができる。消費者が立体造形物を作る際に手にするのは、小型抜き取り部３ａ〜３ｅを含んだ大型抜き取り部３と背板材７をクッション材９ａ、９ｂとで接着したものに座板抜き取り部５が繋ぎ部６ａで一体化したものである。ここで、消費者は抜き取り孔７ａを取り除いた空間に指を入れ、小型抜き取り部３ａ〜３ｅを含んだ大型抜き取り部３を楽しみながら取り外すことができる。
【００３１】    児童が全ての繋ぎ部を取り外し、大型抜き取り部３と背板材７をクッション材９ａ、９ｂとで一体となったものを座板抜き取り部（スタンド）５に接着剤或いは両面テープで接着した後、底板抜き取り部（スタンド）５上に小型抜き取り部３ａ〜３ｅを自分の好みにあわせ接着固定することができる。本考案による立体造形物（組立完成品）の一例を図３に斜視図で示す。
【００３２】    本実施例では、杉材の板材を使用したので安全性に優れている。樹脂または金属板等の場合、或いは形状が大型或いは重量のある板材からカッティングする際には、繋ぎ部６或いは６ａ、６ｂの形状が重要となる。図６は繋ぎ部に曲率を設け繋ぎ部６或いは６ａ、６ｂの残部でけがをしないように安全面を工夫した一例である。切りかけ効果で抜き取りやすくなる効果もある。
【産業上の利用可能性】
【００３３】    本実施例では児童用の写真立てを例示したが、これはほんの一例である。平板状の板材から本考案の抜き型を設け立体造形物を製作する物品に本考案のカッティング板材の利用価値がある。本考案の考案者は間伐材を対象とした木材を念頭においたが、素材の制約は無い。【００３４】    本考案は、流通面の効率運搬、保管、店舗等での展示に場所を取らず、産業上利用可能性は極めて高い。
【符号の説明】
【００３５】    １      平板状板材
２      板面
３      大型抜き取り部
３ａ    小型抜き取り部（牛）
３ｂ    小型抜き取り部（牧草）
３ｃ１  小型抜き取り部（木ｃ１）
３ｃ２  小型抜き取り部（木ｃ２）
３ｄ    小型抜き取り部（山）
３ｅ    小型抜き取り部（文字盤）
５      座板抜き取り部（スタンド）
６      繋ぎ部
６ａ    繋ぎ部ａ
６ｂ    繋ぎ部ｂ
７      背板材
７ａ    抜き取り孔
８      線状模様
９ａ    クッション材ａ
９ｂ    クッション材ｂ
【図１】
0003191154.tif 000003
【図２】
0003191154.tif 000004
【図３】
0003191154.tif 000005
【図４】
0003191154.tif 000006
【図５】
0003191154.tif 000007
【図６】
0003191154.tif 000008